(57)【要約】【課題】  ＴＡＴの短縮とコストの削減を図ることの可能なフォトマスクの検査方法を提供する。【解決手段】  描画パターンデータに基づいて形成された半導体集積回路用のフォトマスクを検査する方法において、前記半導体集積回路の描画パターンを、所定の特徴基準に従って、複数のランクに分類して抽出する工程と、当該ランク毎に検査精度を決定し、この決定された検査精度を満たしているか否かによってフォトマスクの良否を判定する工程とを具備している。【選択図】図４
2004191957.tif 000002
【特許請求の範囲】
【請求項１】
描画パターンデータに基づいて形成された半導体集積回路用のフォトマスクを検査する方法において、
前記半導体集積回路の描画パターンを、当該描画パターンの特徴に応じて決定される基準に従って、
複数のランクに分類して抽出する工程と、
当該ランク毎に検査精度を決定し、
抽出された前記描画パターン毎に、この決定された検査精度を満たしているか否かによって、フォトマスクの良否を判定する工程とを有することを特徴とするフォトマスクの検査方法。
【請求項２】
前記基準は、描画パターンの機能的特徴であり、
前記抽出する工程は、前記描画パターンで形成されるパターンの回路機能的特徴に応じて、複数ランクに分類して抽出するようにしたことを特徴とする請求項１に記載のフォトマスクの検査方法。
【請求項３】
前記抽出する工程は、描画パターンがダミーパターンであるか否かによって半導体集積回路の描画パターンを、複数ランクに分類して抽出する工程を含むことを特徴とする請求項２に記載のフォトマスクの検査方法。
【請求項４】
前記抽出する工程は、さらに、前記ダミーパターンの隣接パターンがダミーパターンであるか否かによって分類する工程を含むことを特徴とする請求項３に記載のフォトマスクの検査方法。
【請求項５】
前記抽出する工程は、隣接する描画パターンが同一ノードであるか否かによって半導体集積回路の描画パターンを、複数ランクに分類して抽出する工程を含むことを特徴とする請求項１乃至４のいずれかに記載のフォトマスクの検査方法。
【請求項６】
前記特徴は、描画パターンの形状的特徴であり、
前記抽出する工程は、前記描画パターンの形状的特徴に応じて、複数ランクに分類して抽出する工程を含むことを特徴とする請求項１乃至５のいずれかに記載のフォトマスクの検査方法。
【請求項７】
前記抽出する工程は、最近接パターンからの距離に基づいて、複数ランクに分類して抽出するようにしたことを特徴とする請求項６に記載のフォトマスクの検査方法。
【請求項８】
前記抽出する工程は、前記描画パターンのコーナーからの距離に基づいて、複数ランクに分類して抽出するようにしたことを特徴とする請求項６に記載のフォトマスクの検査方法。
【請求項９】
前記抽出する工程は、パターンごとに前記基準に応じて前記複数ランクに分類して抽出するようにしたことを特徴とする請求項１乃至８のいずれかに記載のフォトマスクの検査方法。
【請求項１０】
前記抽出する工程は、ライン（パターンエッジ）ごとに前記基準に応じて前記複数ランクに分類して抽出するようにしたことを特徴とする請求項１乃至８のいずれかに記載のフォトマスクの検査方法。
【請求項１１】
前記抽出する工程は、エリアごとに前記基準に応じて前記複数ランクに分類して抽出するようにしたことを特徴とする請求項１乃至８のいずれかに記載のフォトマスクの検査方法。
【請求項１２】
前記判定する工程は、パターン幅の増大か減少かで精度条件を変化させるようにしたことを特徴とする請求項１乃至８のいずれかに記載のフォトマスクの検査方法。
【請求項１３】
前記判定する工程は、ダミーパターンであるか否かを検出し、ダミーパターンであるときは精度条件をゆるくするようにしたことを特徴とする請求項１乃至１２のいずれかに記載のフォトマスクの検査方法。
【請求項１４】
前記ダミーパターンの隣接パターンがダミーパターンであるときは、さらに精度条件をゆるくするようにしたことを特徴とする請求項１３に記載のフォトマスクの検査方法。
【請求項１５】
前記判定する工程は、少なくとも２つのパターンが同一ノードであるか否かを検出し、同一ノードであるときは精度条件をゆるくするようにしたことを特徴とする請求項１乃至１２のいずれかに記載のフォトマスクの検査方法。
【請求項１６】
前記判定する工程は、少なくとも２つのパターンが同一レイヤー内のパターンによって同一ノードであるか否かを検出し、同一ノードであるときは精度条件をゆるくするようにしたことを特徴とする請求項１乃至１４のいずれかに記載のフォトマスクの検査方法。
【請求項１７】
前記判定する工程は、少なくとも２つのパターンが当該レイヤーの上層または下層に位置するレイヤー内のパターンを介してコンタクトすることにより、同一ノードであるか否かを検出し、同一ノードであるときは精度条件をゆるくするようにしたことを特徴とする請求項１乃至１４のいずれかに記載のフォトマスクの検査方法。
【請求項１８】
前記描画パターンが、コンタクトアレイを含む配線用パターンであるとき、
前記判定する工程は、前記コンタクトアレイが１個どりであるか複数個どりであるかを検出し、１個どりであるか複数個どりであるかに応じて精度条件を変えるようにしたことを特徴とする請求項１乃至１４のいずれかに記載のフォトマスクの検査方法。
【請求項１９】
前記描画パターンがコンタクトホール形成用パターンであるとき、
前記判定する工程は、前記コンタクトアレイが１個どりであるか複数個どりであるかを検出し、１個どりであるか複数個どりであるかに応じて精度条件を変えるようにしたことを特徴とする請求項１乃至１４のいずれかに記載のフォトマスクの検査方法。
【請求項２０】
前記特徴はフォトマスクの製造欠陥密度と製造欠陥サイズとの関係式であり、
前記抽出する工程は、フォトマスクの製造欠陥密度と製造欠陥サイズとの関係式と、パターン上の製造欠陥発生確率で重み付けされたパターン面積と製造欠陥サイズとの関係式との交点によって決まる臨界点にもとづいて、前記臨界点よりも上であるか否かで、２つのランクに分類して抽出する工程を含むことを特徴とする請求項１に記載のフォトマスクの検査方法。
【請求項２１】
描画パターンデータに基づいて形成された半導体集積回路用フォトマスクの検査装置において、
半導体集積回路の描画パターンを、所定の特徴基準に従って、複数のランクに分類し、複数のパターンデータを抽出する手段と、
当該ランク毎に必要とする検査精度を決定し精度データを生成する生成手段と、
前記パターンデータが前記精度データを満たしているか否かを、分類されたパターンデータ毎に判定する判定手段とを備えたことを特徴とするフォトマスクの検査装置。
【請求項２２】
描画パターンデータに基づいて形成された半導体集積回路用フォトマスクの検査用データであって、
半導体集積回路の描画パターンを、所定の特徴基準に従って、複数のランクに分類して抽出された複数のパターンデータと、
当該ランク毎に必要とする検査精度を示す精度データとを
備えたことを特徴とする検査用データ。
【請求項２３】
描画パターンデータに基づいて形成された半導体集積回路用フォトマスクの検査用データ生成方法において、
半導体集積回路の描画パターンを、所定の特徴基準に従って、複数のランクに分類し、複数のパターンデータを抽出する工程と、
当該ランク毎に必要とする検査精度を決定し精度データを生成する工程とを
備えたことを特徴とする検査用データの生成方法。
【発明の詳細な説明】
【技術分野】
【０００１】
本発明は、マスクパターンの検査方法、検査装置、これに用いられる検査用データおよび検査用データ生成方法に係り、特にフォトマスクの検査工程における検査精度データの抽出とその検査に関するものである。
【背景技術】
【０００２】
近年、各製品において半導体集積回路装置（以下ＬＳＩという）は、キーデバイスとして位置付けられており、製品の競争力確保のために、ＬＳＩの大規模化・高速化が要求されている。そして素子の微細化および高集積化に伴い、微細プロセスが必須となってきている。
このような状況の中で、設計どおりのパターン形成を行うためにはプロセス条件の制約は高まる一方である。
【０００３】
半導体集積回路装置の形成に際しては、半導体基板表面に素子分離を行うとともに所望の濃度のウェルを形成し、このウェル内に所望の導電型の不純物拡散領域を形成し、さらには絶縁膜の形成および配線パターンの形成を行うように構成されている。
【０００４】
例えば配線パターンの形成に際しては、多結晶シリコン層、アルミニウム層、金属シリサイド層などの導電性膜を形成した後、フォトマスクを介して露光を行い、所望のマスクパターンを形成するフォトリソグラフィ工程を経て、このマスクパターンをマスクとしてエッチングを行うことにより、配線パターンの形成がなされる。
【０００５】
エッチング工程においては、マスクパターンから露呈する導電性膜が選択的に除去されるが、エッチャントの濃度、温度などの諸条件を最適化しても、マスクパターンの密度（面積率）ひいてはマスクパターンの周辺長によってエッチング速度にばらつきがある。このため、マスクパターンの密度あるいはパターンピッチによって、エッチング精度が異なり、マスクパターン領域が大き過ぎても小さ過ぎてもエッチング精度が低下する。
【０００６】
また、拡散層の形成についても同様の問題があり、拡散層形成のためのイオン注入領域が狭過ぎると、イオンの集中が生じ、所望の拡散プロファイルを得ることができない。従って拡散用のマスクパターン形成のためのフォトマスクの精度も極めて重要である。
【０００７】
そして各プロセスにおいては、それぞれフォトマスクを用いてパターン形成がなされるが、フォトマスク上のマスクパターンのパターン精度は、プロセスにおけるパターン形成の精度を大きく左右するものであるため、高精度化への要求が高まっている。
【０００８】
このような状況の中で、欠陥検査工程においては、検査すべきフォトマスクの中でもっとも高精度である必要がある領域の必要精度をフォトマスク設計者から入手し、その値を基準値として用いて検査することで、フォトマスクの欠陥を低減するための努力がなされている。
【０００９】
このため、1枚のフォトマスク上では、全領域が同じ検査基準で検査されているため、本来なら実際の回路動作に影響を与えない範囲の欠陥であっても、欠陥ありとして扱われ、再度修正あるいは製造のし直しを行うことになる。このため発注から完成までに要する時間（ＴＡＴ）が長くなるという問題があった。
また、フォトマスクは高価であるため、製造のし直しのために多数枚のフォトマスクブランクが必要となることによるコストの高騰も深刻な問題となっている。
【００１０】
また、昨今の半導体集積回路の製造プロセスにおいては、基板表面の平坦化のためにCMP（Chemical  Mechanical  Etching）という方法が提案されている。この方法は、例えば、塗布法あるいはCVD法などにより、表面に絶縁膜を形成した後、機械的に研磨しながら、化学的にエッチングを行うことにより、表面の平坦化をはかるものである。しかしながら、下層の配線層のパターン密度が小さい場合、所定面積以上のパターンのない領域が存在すると、絶縁膜を厚く形成しても平坦化できず、その結果CMPを行っても配線パターンのない領域が凹部となり、へこんだ状態のままとなる。
【００１１】
このように、レイアウトパターンに偏りがある場合、当該層について十分なパターン精度を得ることができないのみならず、当該層よりも上層のパターン精度にも影響を及ぼすという問題があり、プロセス精度を十分に得ることができないという問題がある。
【００１２】
そこで、本出願人は、半導体チップのレイアウトパターンから当該マスクパターンの面積率を抽出し、レイアウトパターンを構成する層のプロセス条件にもとづいて得られる当該層のレイアウトパターンの最適面積率を考慮して、当該層のマスクパターンの面積率をあわせるように、レイアウトパターンに、ダミーパターンを付加配置し、当該層が最適面積率となるようにする方法を提案している（特許文献１参照）。
【００１３】
【特許文献１】特願２００２−２２９２１５号
【００１４】
ところで、このようなパターンの高精度化において極めて重要な要素であるフォトマスクは、欠陥検査工程を経て使用される。
この検査においても、検査すべきフォトマスクの中でもっとも精度条件の厳しい個所の必要精度をフォトマスクの設計者から入手し、そのデータを用いて検査を行っている。
この方法によれば、フォトマスク作成・検査時にはどこに一番厳しい個所があるか特定することなく検査を進めることが出来、歩留まりの向上をはかることができる。
【００１５】
以下、従来のフォトマスクの検査フローについて図面を参照しつつ説明する。
図２５に従来のフォトマスク検査フロー図を示す。
この方法では、まず、デザインルールに基づいて、フォトマスクのパターンを作成する（ステップ１０１）。次に、このようにして得られたフォトマスクのパターンをフォトマスク描画用のデータに変換してフォトマスクの製作部門または製作別会社へデータを渡し、実際のフォトマスクの製作が開始する（ステップ１０２）。
【００１６】
このようにデータを渡す際に併せてパターンのデザインルールの最小値を検査精度データとして指示する（ステップ１０６）。
一方、フォトマスクの製作部門または製作別会社は、ステップ１０２で形成されたフォトマスクの描画データを用いてフォトマスクブランク上にパターンを描画してフォトマスクを形成する（ステップ１０３）。
次に、前記ステップ１０６で得られた検査精度データに基づきパターン形成の合否を判定する（ステップ１０４）。
そして検査精度データの範囲内であると判断されたもののみ合格であると判断される（ステップ１０５）。
【００１７】
しかしながら、近年のプロセスの微細化に伴い、最小のパターン幅や間隔は、ますます小さくなる傾向にある。例えば、図２６（ａ）に示すように、最小間隔２０３で配置された最小幅のパターン２１０〜２１３と、図２６（ｂ）に示すように、間隔２０４で配置された大間隔パターン２１４〜２１６を含むフォトマスクを形成した場合を考える。例えば最小間隔幅２０３のパターンの中に、形成される欠陥の許容範囲を許容欠陥２０１で示す大きさであるとする。このとき、この欠陥２０１よりも大きさの小さいパターン欠陥２０６があった場合、検査工程では許容範囲内であると判断している。
【００１８】
また、この許容欠陥２０１よりも大きさの大きいパターン欠陥２０２があった場合、検査工程ではこの欠陥２０２は、許容欠陥２０１より大きいため検査では、このフォトマスクは欠陥であると判断される。
しかしながら同一のフォトマスク内では許容欠陥２０１の大ききは1種類であり、いかなる大きいパターン幅の領域でも同じ許容欠陥２０１を基準として同様の処理がなされる。
【発明の開示】
【発明が解決しようとする課題】
【００１９】
このため、許容欠陥２０１より大きいパターン欠陥２０２があった場合、図２６（ｂ）に示すように、間隔２０４が最小間隔２０３よりもはるかに大きい間隔をもつのパターン２１４と２１５の間でも、この欠陥２０２も検査工程では欠陥であると判断している。しかしながら、実際のデザインルールではこのように間隔の大きい領域にこのような欠陥が存在しても、問題が生じることは皆無であるにもかかわらず、修正工程に入り、再度検査を行うという工程が付加されることになる。
【００２０】
このように従来の方法では、フォトマスク全体にわたり、最小間隔２０３に合わせた検査精度を要求しているため、問題が生じることのない大きさの欠陥２０２も検査工程で欠陥であると判断している。
【００２１】
また、同様の欠陥が発生して、実際にはパターン同士が短絡する可能性のあるような場合でも、隣接パターンが同一ノードである場合や、前述したような目的で形成されるダミーパターンであるような場合には、何ら問題はなく、従って修正を行ったりする必要もない。にもかかわらずこの場合に欠陥であると判断され、修正工程に入り再度検査を行うという工程が付加されることになる。
従って、必要以上の精度で検査が実施され、修正頻度が増大し、これにより、フォトマスク作成期間（ＴＡＴ）の短縮と作成費用の削減を阻むという問題が顕在化している。
【００２２】
本発明は前記実情に鑑みてなされたもので、ＴＡＴの短縮とコストの削減を図ることの可能なフォトマスクの検査方法を提供することを目的とする。
またＴＡＴの短縮とコストの削減を図ることの可能なフォトマスクの検査装置を提供することを目的とする。
またフォトマスク作成にあたり、ＴＡＴの短縮とコストの削減を図ることの可能な検査用データを提供することを目的とする。
またフォトマスク作成にあたり、ＴＡＴの短縮とコストの削減を図ることの可能な検査用データ生成方法を提供することを目的とする。
【課題を解決するための手段】
【００２３】
上記課題を解決するために、本発明の方法では、半導体集積回路を構成するパターンの特徴にもとづき、各パターンの精度データを抽出して、その精度データに基づいて検査を行うことにより、的確な精度での検査を行うことができるようにしたことを特徴としている。
なおここで半導体集積回路を構成するパターンとはウェハ上のスクライブラインを除く機能領域を構成するパターンを示すものとする。
【００２４】
すなわち本発明のフォトマスクの検査方法では、描画パターンデータに基づいて形成された半導体集積回路用のフォトマスクを検査する方法において、前記半導体集積回路の描画パターンを、描画パターンの特徴に応じて決定される基準に従って、複数のランクに分類して抽出する工程と、当該ランク毎に検査精度を決定し、この決定された検査精度を満たしているか否かによってフォトマスクの良否を判定する工程とを具備している。また、パッド領域が、大きなパターンであるときは、パッド領域は別に低ランクの精度領域とし、パッド領域を除く領域を複数のランクに分類して検査データを作成するのが望ましい。
【００２５】
この方法によれば、半導体集積回路のパターンの特徴にもとづき、各パターンの精度データを抽出して、その精度データを複数のランクに分類し、的確な精度での検査を行うようにしているため、短時間で信頼性の高いフォトマスクを作成することが可能となる。また、必要以上に精度を求めて、作り直しを行うことによりコストの高騰を招くこともないためコストの削減を図ることが可能となる。
【００２６】
望ましくは、描画パターンの機能的特徴に応じて、精度データを複数ランクに分類して抽出するようにすれば、より適切な検査が可能となる。ここで機能的特徴とは、当該パターンのもつ機能による特徴すなわち、描画パターンによって形成されるパターンの回路機能的特徴を考慮し、検査を行うようにしたものである。例えばこのフォトマスクの描画パターンが、トランジスタのチャネル長を規定するゲート電極のパターンを含む場合、あるいは、センサ面積を規定する領域となるｐｎ接合の形成のためのイオン注入用のマスクパターンを含む場合は、これらのパターンはより高精度である必要がある。また、同一ノードである場合あるいは、ダミーパターンである場合は他領域に比べて低精度であってもよいなど、パターンの機能的特徴に応じて精度をランク分けすることにより、より適切な検査を高速で行うことが可能となる。
【００２７】
望ましくは、前記抽出する工程は、描画パターンがダミーパターンであるか否かによって前記半導体集積回路の描画パターンを、複数ランクに分類して抽出する工程であることを特徴とする。
ダミーパターンの場合は他領域に比べて低精度であってもよいため、ダミーパターンを他のパターンとは別の判定基準で分けて検査することにより、検査の高速化をはかることができる。またアシストバー、位相シフトマスクにおけるサブ開口部、など本体パターン以外のパターンであってウェハ上で直接解像しないパターンについては、他のパターンとは別の判定基準で分けて検査することにより、検査の高速化をはかることができる。
【００２８】
また、前記抽出する工程は、更に前記ダミーパターンの隣接パターンがダミーパターンであるか否かによって分類する工程を含む。
この構成により、ダミーパターンであっても隣接パターンがダミーパターンでない場合は、精度は必要であるのに対し、ダミーパターン同士である場合は、精度は不要である。これらを分類して検査することによりより高速な検査が可能となる。
【００２９】
望ましくは、前記抽出する工程は、描画パターンが同一ノードであるか否かによって前記半導体集積回路の描画パターンを、複数ランクに分類して抽出する工程であることを特徴とする。
【００３０】
望ましくは、描画パターンの形状的特徴に応じて、複数ランクに分類して抽出するようにすれば、より適切な検査が可能となる。例えば、最近接パターンからの距離に基づいて、複数ランクに分類して抽出する、描画パターンのコーナーからの距離に基づいて、複数ランクに分類して抽出するなどの方法により、より高効率の検査を行うことが可能となる。
【００３１】
また分類の単位としては、パターンごとに前記基準に応じて複数ランクに分類して抽出することにより、単位としての切り出し方が簡単であり、効率よく分類することが可能となる。
【００３２】
また分類の単位としては、ライン（パターンエッジ）ごとに前記基準に応じて複数ランクに分類して抽出することにより、データが少なくてすみ演算が容易となる場合もある。例えば、例えば、最近接パターンとの距離に応じて分類するような場合にはこの単位での検査を用いることにより、データ処理が容易となる。
【００３３】
また分類の単位としては、エリアごとに前記基準に応じて複数ランクに分類して抽出することにより、単位としての切り出し方がより簡単であり、効率よく分類することが可能となる。例えば、同一ノードである複数のパターンを抽出するような場合は、エリアごとの分類方法を用いることにより、容易に処理を行うことが可能となる。
【００３４】
望ましくは、フォトマスクのマスクパターンのパターン幅の増大か減少かで精度条件を変化させて判定するようにすれば、より適切な判定が可能となる。例えば、ラインアンドスペースパターンの場合、マスクパターンのパターン幅が増大する方向での誤差が生じている場合は、最近接パターンとの距離が所定範囲以上であるように考慮した精度条件を用いる必要がある。一方、パターン幅が減少する方向での誤差が生じている場合は、パターン幅が所定幅以上であるように考慮した精度条件を用いる必要がある。
【００３５】
また、当該パターンがダミーパターンであるか否かを検出し、ダミーパターンであるときは精度条件をゆるくするようにすれば、必要以上の精度条件で、本来合格であるはずのフォトマスクが不合格となるのを防ぐことが可能となる。
【００３６】
また、ダミーパターンであっても、隣接パターンがいかなるパターンであるかによって精度条件は異なる。従ってダミーパターンの隣接パターンがダミーパターンである時は、更に精度条件をゆるくするようにすれば必要以上の精度条件で、本来合格であるはずのフォトマスクが不合格となるのを防ぐことが可能となる。
【００３７】
また、複数のパターンが同一ノードであるか否かを検出し、同一ノードであるときは精度条件をゆるくするようにしている。例えば隣接する２つのパターンが同一ノードである場合は、近接していてもよい。また複数のコンタクトホールでコンタクトしているような場合には、いずれかのコンタクトホールパターンが機能していれば良い。このように同一ノードのパターンが複数存在する場合には、導通しても良い場合あるいはいずれかが機能すれば良い場合も多く、精度条件をゆるくしても良い場合も多い。
【００３８】
また、同一レイヤー内のパターンによって同一ノードとなっている場合に、描画データによってのみ判断できるため特に検査容易性が高く、この方法は有効である。
さらにまたこれら上層または下層に位置するレイヤー内のパターンを介してコンタクトすることにより、同一ノードとなっている場合にも、有効である。
【００３９】
また、描画パターンがコンタクトアレイを含む配線用パターンであるとき、前記判定する工程は、前記コンタクトアレイが１個どりであるか複数個どりであるかを検出し、１個どりか複数個どりかに応じて精度条件を変えるようにしたことを特徴とする。複数個どりである場合には、いずれかが正常に形成されていれば特性上問題ないため、精度条件はゆるくてもよいことになる。
【００４０】
また、描画パターンがコンタクトホール形成用パターンであるとき、前記判定する工程は、前記コンタクトアレイが１個どりであるか複数個どりであるかを検出し、１個どりであるか複数個どりであるかに応じて精度条件を変えるようにしたことを特徴とする。この場合も、複数個どりである場合には、いずれかが正常に形成されていれば特性上問題ないため、精度条件はゆるくてもよいことになる。
【００４１】
なお、高速配線領域を特に高精度領域としてもよい。
また、ノイズの低減のために、追加した追加容量領域についてはより精度をゆるくしてもよい。
【００４２】
望ましくは、前記抽出する工程は、製造欠陥密度と製造欠陥サイズとの関係式と、製造欠陥発生確率で重み付けされたパターン面積と製造欠陥サイズとの関係式との交点によって決まる臨界点にもとづいて、前記臨界点よりも上であるか否かで、２つのランクに分類して抽出することで、歩留まりとマスク検査コストとのトレードオフを最適化することができる。
【００４３】
望ましくは、描画パターンデータに基づいて形成された半導体集積回路用フォトマスクの検査装置において、前記半導体集積回路の描画パターンを、所定の特徴基準に従って、複数のランクに分類し、複数のパターンデータを抽出する手段と、当該ランク毎に必要とする検査精度を決定し精度データを生成する生成手段と、前記パターンデータが前記精度データを満たしているか否かを分類されたパターンデータ毎に判定する判定手段とを備えたことを特徴とする。
【００４４】
また、本発明の検査用データは、描画パターンデータに基づいて形成された半導体集積回路用フォトマスクの検査用データであって、前記半導体集積回路の描画パターンを、所定の基準に従って、複数のランクに分類して抽出された複数のパターンデータと、当該ランク毎に必要とする検査精度を示す精度データとを備えたことを特徴とする。
かかるデータを用いることにより、高速で信頼性の高いフォトマスクを低コストで提供することが可能となる。
【００４５】
本発明の検査用データ生成方法では、半導体集積回路の描画パターンを、所定の基準に従って、複数のランクに分類し、複数のパターンデータを抽出する工程と、当該ランク毎に必要とする検査精度を決定し精度データを生成する工程とを備えたことを特徴とする。
かかる方法によれば、高速で信頼性の高いフォトマスクを低コストで提供することのできる検査用データを形成することができる。
なお、前述したようにここで半導体集積回路の描画パターンとは、ウェハ上の半導体領域であって、スクライブラインを除く領域を形成するパターンをいうものとする。
【発明の効果】
【００４６】
以上説明してきたように、本発明のフォトマスク検査方法によれば、従来最も厳しいパターン間隔の許容欠陥精度で全パターン・全エリアを検査していたが、各領域、各パターン、あるいは各エッジで必要な精度で検査を実現できるようになる。その結果、必要以上の検査精度で不合格になったパターンを修正する必要がなくなるため、修正個所の低減を図ることが可能となり、フォトマスクの製作時間と製作コストの削減が実現可能となる。
【発明を実施するための最良の形態】
【００４７】
次に、本発明の実施の形態に係るフォトマスク検査方法について説明する。
（第1の実施の形態）
本発明のフォトマスクの検査方法では、描画パターンデータに基づいて形成された半導体集積回路用のフォトマスクを検査するに際し、半導体集積回路の描画パターンを、所定の基準に従って、複数のランクに分類して抽出し、ランク毎に検査精度を決定し、この決定された検査精度を満たしているか否かによってフォトマスクの良否を判定するようにしたことを特徴とする。
【００４８】
図１は、本実施の形態のフォトマスク検査フローを示している。従来の検査フローでは、デザインルールからフォトマスク全体にわたり一定の精度を指示していたのに対し、本実施の形態では、フォトマスクパターン設計ステップ１０１で得られたフォトマスクパターンに基づいて検査用精度データ３０６を別に形成し、この検査用精度データ３０６に基づいて、パターンエリアごとに設定された検査精度基準に基づいてフォトマスクの検査を実行するようにしている。
【００４９】
すなわち、まずフォトマスクパターン設計ステップ１０１で得られたフォトマスクパターンに基づいて検査用精度データ３０６を別に形成する。
【００５０】
例えば、図２に一例を模式図で示すように、ゲート配線を含む多結晶シリコン層のレイアウトパターン１から、トランジスタ領域２のみを抽出する。この抽出されたトランジスタ領域２は図３に要部拡大図を示すように素子分離領域（図示せず）で囲まれた活性領域４内にソース・ドレイン領域が形成せしめられてなるものである。ここで、ゲート配線３が活性領域４上を走行する部分においてはチャネル長を決定する部分となる。
【００５１】
従って図４に示すように、この活性領域４上のゲート配線３Ｔは、トランジスタ特性を大きく左右する領域であるため、パターン精度は極めて高精度である必要がある。これに対し活性領域４上のゲート配線３Ｔ以外の領域３Ｃは、活性領域４上のゲート配線３Ｔに比べてラフであってもよい。
【００５２】
そこで、ゲート配線３のパターンのうち、活性領域４上のゲート配線３ＴをＡランク領域ＲＡとし、それ以外のゲート配線３C、活性領域以外のゲートおよび、チップ内の他の部分全体をＢランク領域ＲＢとし、これらのパターンを別に抽出し、検査のためのパターン精度をＡランクでは、Ｂランクよりも高くなるようにし、２段階にしてデータを作成する。
【００５３】
このようにして、フォトマスクパターン設計ステップ１０１でなされたレイアウトパターンデータに基づき、ステップ１０２でフォトマスク描画データ（レイアウトパターンデータ）を作成する。
そしてステップ１０１で得られたレイアウトパターンデータに基づいて、パターン領域をＡランクとＢランクとの2つのランクに区分し、各区分における検査用の精度データ３０６を作成する。
【００５４】
このようにして得られた検査用の精度データをステップ１０２で得られたフォトマスク描画データと並行して抽出し、フォトマスク作成部門もしくは作成会社にわたす。
【００５５】
そして、このステップ１０２で得られたフォトマスク描画データとステップ３０６で得られた検査用精度データ３０６とを受領したフォトマスク作成部門もしくは作成会社では、引継ぎフォトマスクの描画プロセス（ステップ１０３）を経てフォトマスクブランク上にパターンを形成する。
【００５６】
次に形成されたフォトマスクパターンを、検査用精度データ３０６に基づいて領域ごとに必要精度でパターンの欠陥を検査する（ステップ１０４）。
この検査ステップ１０４では、図５に示すように、形成されたフォトマスクパターンからＡランクの検査領域（図４のＲＡ）に相当する領域のみを抽出し（ステップ４０１）、この検査領域が前述の検査精度の範囲内であるか否かを判断する（ステップ４０２）。
【００５７】
そしてこのステップ４０２で検査精度の範囲内であると判断された場合は、残りの領域すなわちＢランクの検査領域（図４のＲＡ以外の全領域、すなわち図２のチップ1の領域）について、前述の検査精度の範囲内であるか否かを判断する（ステップ４０３）。
【００５８】
そしてこのステップ４０３で検査精度の範囲内であると判断された場合は、合格となり図1の出荷ステップ１０５に進む。
一方前記ステップ４０３で検査精度の範囲を越えていると判断された場合は、不合格となり、再度ステップ１０３に戻り、フォトマスクの製造がなされる。
また前記ステップ４０２で検査精度の範囲を越えていると判断された場合は、不合格となり、再度ステップ１０３に戻り、フォトマスクの製造がなされる。
【００５９】
このようにして製造・検査が繰り返され検査ステップ１０４で欠陥なしと判断されたものは検査合格製品として出荷される（ステップ１０５）。
【００６０】
この方法によれば、ゲート配線の機能的特徴であるチャネル長の確保を特に重要視し、チャネル長を左右する領域をランクＡの領域とし、より高精度のパターン精度をもたせるようにしている。従って、この方法では、高精度のパターン精度を必要とするランクＡの領域に対してのみ高精度の検査用精度データを用いて検査がなされる一方、高精度のパターン精度を必要としないランクＢの領域ではより精度基準を緩めて検査がなされるため、必要以上に検査は厳しくなく、短時間で検査がなされ、また、早期に検査不良が検出されるため、その分は低コスト
化をはかることができる。
【００６１】
このようにして短時間で最適な検査精度で検査を行うことができ、高品質のフォトマスクを低コストで形成することができる。またＴＡＴの短縮を図ることが可能となる。
【００６２】
なお前記判断ステップにおいては、顕微鏡などを用いてフォトマスク上のパターンを観察しながら、精度条件に基づいて観察するという方法がとられることが多いが、ＣＣＤカメラなどで撮像し、撮像パターンをイメージデータとして、画像処理を行うことにより、パターンを抽出し、抽出されたパターンごとに精度データを参照して判断するようにしてもよい。またこの判断自体についても画像処理により比較判断処理を行うことにより自動的処理を実現するようにしてもよい。
【００６３】
（第2の実施の形態）
なお、前記第1の実施の形態では検査ランクの分類を領域ごとに指定するようにしたが、パターン毎に指定するようにしてもよい。
すなわち、図6に示すように、ゲート配線3のうち真のゲート領域を構成する領域のゲートパターンのみを高精度の検査ランクに相当するＡ検査ランクパターンＰＡとし、それ以外のパターンをより低いランクに相当するＢ検査ランクパターンＰＢとした。
【００６４】
この場合もフォトマスクの検査工程において、検査用データの抽出のしかたが異なるのと検査基準が異なるのとを除けば前記第1の実施の形態と同様である。
この方法によっても、前記第1の実施の形態と同様にチャネル長の確保が確実となり、短時間で高品質のフォトマスクを低コストで実現することができるが、この方法によれば、前記第1の実施の形態に比べて特に、描画用データ（マスクパターンデータ）に検査ランクを示すデータを形成することができるという効果がある。
【００６５】
（第３の実施の形態）
また、前記第1の実施の形態では検査ランクの分類を領域ごとに指定するようにしたが、パターンのエッジで指定するようにしてもよい。
【００６６】
すなわち、図７に示すように、ゲート配線3のうち真のゲート領域を構成する領域のゲートパターンエッジのみを高精度の検査ランクに相当するＡ検査ランクエッジＥＡとし、それ以外のパターンをより低いランクに相当するＢ検査ランクエッジＥＢとした。
【００６７】
この場合もフォトマスクの検査工程において、検査用データの抽出のしかたが異なるのと検査基準が異なるのとを除けば前記第1の実施の形態と同様である。
この方法によれば、前記第1の実施の形態に比べて、エッジ毎に判断のランクを設定することができるという効果がある。
【００６８】
（第４の実施の形態）
次に、本発明の第4の実施の形態について説明する。
前記第1乃至第3の実施の形態ではトランジスタのゲート配線のチャネル長の確保に着目した検査方法について説明したが、この例ではコンタクトホールなどのホールをもつゲート配線パターンのコンタクトにおけるずれを検知し、コンタクトミスを防止する点に特に留意した検査方法について説明する。
【００６９】
ここではトランジスタのゲート配線上へのコンタクトのためのコンタクトホールｈの存在に着目し、検査ランクを分類したものである。
すなわち、図２に示したトランジスタアレイチップにおいて、図８（ａ）に示すようにゲート配線パターン３上でコンタクトホールｈのある領域を特に高精度の検査ランクで検査するようにしたものである。
【００７０】
ここでは図８（ｂ）に示すように、領域で指定し、コンタクトホールを中心とする所定サイズの正方形領域をより高精度ランクのＡ検査ランク領域ＲＡとし、それ以外の領域をＢ検査ランク領域ＲＢとし、これを検査用データとして用いるようにしたものである。
検査工程については図５に示したものと同様のフローチャートに従って検査を実行する。
かかる構成によれば、コンタクトホールの近傍でより高精度の検査を行うようにしているため、コンタクトミスを低減し、高速で信頼性の高いフォトマスクを形成することができる。
【００７１】
また前記第4の実施の形態の変形例として、図８（ｃ）に示すように、パターンで指定しゲート配線3のうちコンタクトホールｈの近傍のゲートパターンのみを高精度の検査ランクに相当するＡ検査ランクパターンＰＡとし、それ以外のパターンをより低いランクに相当するＢ検査ランクパターンＰＢとした。
【００７２】
この場合もフォトマスクの検査工程において、検査用データの抽出のしかたが異なるのと検査基準が異なるのとを除けば前記実施の形態と同様である。
【００７３】
この方法によれば、前記第1の実施の形態に比べて歩留まりへのダメージを抑制しつつもマスク検査コストの低減をはかることができるという効果がある。
【００７４】
また、第4の実施の形態の変形例として、図８（ｄ）に示すように、エッジで指定しゲート配線3のうちコンタクトホールｈの近傍のゲートパターンエッジのみを高精度の検査ランクに相当するＡ検査ランクエッジＥＡとし、それ以外のパターンをより低いランクに相当するＢ検査ランクエッジＥＢとした。
【００７５】
この場合もフォトマスクの検査工程において、検査用データの抽出のしかたが異なるのと検査基準が異なるのとを除けば前記実施の形態と同様である。
【００７６】
この方法によれば、前記第1の実施の形態に比べて、エッジ毎に判断のランクを設定することができるという効果がある。
なお、本実施の形態では、トランジスタアレイを構成する半導体集積回路のゲート配線用のフォトマスクについて説明したが、他の半導体集積回路にも適用可能であることはいうまでもない。
【００７７】
（第５の実施の形態）
次に、本発明の第５の実施の形態について説明する。
前記第1乃至３の実施の形態ではトランジスタのゲート配線の機能的特徴であるチャネル長の確保を特に重要視した検査方法、前記第４の実施の形態では、トランジスタのゲート配線の機能的特徴であるコンタクトの確保を特に重要視した検査方法について説明した。これらはいずれも機能的特徴であるが、次に、特に形状的特徴に留意した検査方法について説明する。
【００７８】
ここでも図２に示したトランジスタアレイチップを形成するためのゲート配線用フォトマスクを例にとって説明する。
この例ではパターンのコーナー部Ｃは、高周波回路の、信号伝送部などを除いては、若干なだらかになっていても、特性的に影響はない場合が多い。この点に着目し、図２に示したトランジスタアレイチップにおいて、図９（ａ）に示すようにゲート配線パターン３上で、コーナー部Ｃの近傍の領域を特に精度をおとした検査ランクで検査するようにしたものである。
【００７９】
ここでは図９（ｂ）に示すように、露光用光源の波長や、パターン間隔などから決定される領域で指定された、正方形領域をより低い精度ランクのＢ検査ランク領域ＲＢとし、それ以外の領域をＡ検査ランク領域ＲＡとし、これを検査用データとして用いるようにしたものである。
検査工程については図５に示したものと同様のフローチャートに従って検査を実行する。
【００８０】
まず、形成されたフォトマスクパターンを、上述したようにコーナー部近傍の正方形領域をより低い精度ランクのＢ検査ランク領域ＲＢとし、それ以外の領域をＡ検査ランク領域ＲＡとして２段階のランクに分類して形成した検査用精度データに基づいて領域ごとに必要精度でパターンの欠陥を検査する（ステップ１０４）。
【００８１】
この検査ステップ１０４では、図１０に示すように、形成されたフォトマスクパターンからＢランクの検査領域（図９（ｂ）参照）に相当する領域のみを抽出し（ステップ１００１）、この検査領域が前述の検査精度の範囲内であるか否かを判断する（ステップ１００２）。
【００８２】
そしてこのステップ１００２で検査精度の範囲内であると判断された場合は、残りの領域すなわちＡランクの検査領域（図９（ｂ）のＢ以外の全領域）について、前述の検査精度の範囲内であるか否かを判断する（ステップ１００３）。
そしてこのステップ１００３で検査精度の範囲内であると判断された場合は、合格となり図1の出荷ステップ１０５に進む。
【００８３】
一方前記ステップ１００３で検査精度の範囲を越えていると判断された場合は、不合格となり、再度ステップ１０３に戻り、フォトマスクの製造がなされる。
【００８４】
また前記ステップ１００２で検査精度の範囲を越えていると判断された場合は、不合格となり、再度ステップ１０３に戻り、フォトマスクの製造がなされる。
【００８５】
このようにして製造・検査が繰り返され検査ステップ１０４で欠陥なしと判断されたものは検査合格製品として出荷される（ステップ１０５）。
【００８６】
かかる構成によれば、パターンの形状に着目し、パターンのコーナー部に相当する領域は精度を緩めて検査を行うようにしているため、機能上問題のないばらつきは可であるとし、本来なら検査不合格とされていたものを合格とすることにより、歩留まりの向上をはかるとともに、高速で信頼性の高いフォトマスクを形成することができる。
【００８７】
また前記第５の実施の形態の変形例として、図９（ｃ）に示すように、パターンで指定しゲート配線3のうちコーナーのパターンのみを低い精度の検査ランクに相当するＢ検査ランクパターンＰＢとし、それ以外のパターンをより高いランクに相当するＡ検査ランクパターンＰＡとした。ここでは、コーナーからの距離に基づいてランクを決定する。
【００８８】
この場合もフォトマスクの検査工程において、検査用データの抽出のしかたが異なるのと検査基準が異なるのとを除けば前記実施の形態と同様である。
【００８９】
この方法によっても、前記第1の実施の形態に比べて特に、描画用データ（マスクパターンデータ）に検査ランクを示すデータを形成することができるという効果がある。
【００９０】
また、第５の実施の形態の変形例として、図９（ｄ）に示すように、エッジで指定しゲート配線3のうちコーナー部のパターンエッジのみを低い精度の検査ランクに相当するＢ検査ランクエッジＥＢとし、それ以外のパターンをより高いランクに相当するＡ検査ランクエッジＥＡとした。
【００９１】
この場合もフォトマスクの検査工程において、検査用データの抽出のしかたが異なるのと検査基準が異なるのとを除けば前記実施の形態と同様である。
【００９２】
この方法によれば、前記第1の実施の形態に比べて、エッジ毎に判断のランクを設定することができるという効果がある。
【００９３】
なお、本実施の形態では、トランジスタアレイを構成する半導体集積回路のゲート配線用のフォトマスクについて説明したが、他の半導体集積回路にも適用可能であることはいうまでもない。
【００９４】
（第６の実施の形態）
次に、本発明の第６の実施の形態について説明する。
本実施の形態では、前記第5の実施の形態に引き続き形状的特徴、特に、配線の間隔により分類して精度ランクを分けた検査方法について説明する。
【００９５】
ここでも図２に示したトランジスタアレイチップを形成するためのゲート配線用フォトマスクを例にとって説明する。
この例では、パターンが太くなる方向に欠陥が発生するプロセスを経て形成される場合において適用されるもので、パターン上で特に配線が高密度に形成されている領域の、ライン幅の狭い領域の検査規格を高度に設定し、他の領域の検査規格を低くしたものである。図２に示したトランジスタアレイチップにおいて、図１１（ａ）に示すようにラインアンドスペース領域で、ライン１１ａ、１１ｂ、１１ｃが配列されているとき、これらのライン間の間隔ｗ１、ｗ２に着目し、この間隔ｗ１がある一定値以下である領域は、より高度の検査領域とし、他の領域は特に精度をおとした検査ランクで検査するようにしたものである。
【００９６】
ここでは図１１（ｂ）に示すように、領域で指定し、ライン間隔ｗ１の小さい領域をより高い精度ランクのＡ検査ランク領域ＲＡとし、それ以外の領域をＢ検査ランク領域ＲＢとし、これを検査用データとして用いるようにしたものである。
検査工程については図５に示したものと同様のフローチャートに従って検査を実行する。
【００９７】
このようにして製造・検査が繰り返され検査ステップ１０４で欠陥なしと判断されたものは検査合格製品として出荷される（ステップ１０５）。
【００９８】
かかる構成によれば、パターンの形状に着目し、ライン間隔の小さい領域は精度を高めて検査を行うようにしているため、高精度パターンを必要とする領域に対してのみ高精度の検査を行うようにしているため、本来なら検査不合格とされていたものを合格とすることにより、歩留まりの向上をはかるとともに、高速で信頼性の高いフォトマスクを形成することができる。
【００９９】
また前記第６の実施の形態の変形例として、図１１（ｃ）に示すように、パターンで指定しゲート配線3のうちライン間隔の小さいパターンのみを高い精度の検査ランクに相当するＡ検査ランクパターンＰＡとし、それ以外のパターンをより低いランクに相当するＢ検査ランクパターンＰＢとした。
【０１００】
この場合もフォトマスクの検査工程において、検査用データの抽出のしかたが異なるのと検査基準が異なるのとを除けば前記実施の形態と同様である。
【０１０１】
この方法によっても、前記第1の実施の形態に比べて特に、描画用データ（マスクパターンデータ）に検査ランクを示すデータを形成することができるという効果がある。
【０１０２】
また、第６の実施の形態の変形例として、図１１（ｄ）に示すように、エッジで指定しゲート配線3のうち配線間隔の小さいパターンのパターンエッジのみを高い精度の検査ランクに相当するＡ検査ランクエッジＥＡとし、それ以外のパターンをより低いランクに相当するＢ検査ランクエッジＥＢとした。
【０１０３】
この場合もフォトマスクの検査工程において、検査用データの抽出のしかたが異なるのと検査基準が異なるのとを除けば前記実施の形態と同様である。
【０１０４】
この方法によれば、前記第1の実施の形態に比べて、エッジ毎に判断のランクを設定することができるという効果がある。
【０１０５】
なお、本実施の形態では、トランジスタアレイを構成する半導体集積回路のゲート配線用のフォトマスクについて説明したが、他の半導体集積回路にも適用可能であることはいうまでもない。
【０１０６】
（第７の実施の形態）
次に、本発明の第７の実施の形態について説明する。
本実施の形態では、前記第６の実施の形態に引き続き形状的特徴、特に、配線幅により分類して精度ランクを分けた検査方法について説明する。
【０１０７】
ここでも図２に示したトランジスタアレイチップを形成するためのゲート配線用フォトマスクを例にとって説明する。
この例では、パターンが細くなる方向に欠陥が発生するプロセスを経て形成される場合において適用されるもので、パターン上で特に配線が高密度に形成されている領域の、ライン幅の狭い領域の検査規格を高度に設定し、他の領域の検査規格を低くし、これを検査用データとして用いるようにしたものである。図２に示したトランジスタアレイチップにおいて、図１２（ａ）に示すようにラインアンドスペース領域で、ライン１２ａ、１２ｂが配列されているとき、これらのライン幅Ｌ１、Ｌ２に着目し、この幅Ｌ１があらかじめ決められた所定の値以下の領域は、より高度の検査領域とし、他の領域は特に精度をおとした検査ランクで検査するようにしたものである。
【０１０８】
ここでは図１２（ｂ）に示すように、領域で指定し、ライン幅Ｌ１の小さい領域をより高い精度ランクのＡ検査ランク領域ＲＡとし、それ以外の領域をＢ検査ランク領域ＲＢとしたものである。
検査工程については図５に示したものと同様のフローチャートに従って検査を実行する。
【０１０９】
このようにして製造・検査が繰り返され検査ステップ１０４で欠陥なしと判断されたものは検査合格製品として出荷される（ステップ１０５）。
【０１１０】
かかる構成によれば、パターンの形状に着目し、ライン幅の小さい領域は精度を高めて検査を行うようにしているため、高精度パターンを必要とする領域に対してのみ高精度の検査を行うようにしているため、本来なら検査不合格とされていたものを合格とすることにより、歩留まりの向上をはかるとともに、高速で信頼性の高いフォトマスクを形成することができる。
【０１１１】
また前記第７の実施の形態の変形例として、図１２（ｃ）に示すように、パターンで指定しゲート配線3のうちライン幅の小さいパターンのみを高い精度の検査ランクに相当するＡ検査ランクパターンＰＡとし、それ以外のパターンをより低いランクに相当するＢ検査ランクパターンＰＢとした。
【０１１２】
この場合もフォトマスクの検査工程において、検査用データの抽出のしかたが異なるのと検査基準が異なるのとを除けば前記実施の形態と同様である。
【０１１３】
この方法によっても、前記第1の実施の形態に比べて特に、描画用データ（マスクパターンデータ）に検査ランクを示すデータを形成することができるという効果がある。
【０１１４】
また、第６の実施の形態の変形例として、図１２（ｄ）に示すように、エッジで指定しゲート配線3のうち配線幅の小さいパターンのパターンエッジのみを高い精度の検査ランクに相当するＡ検査ランクエッジＥＡとし、それ以外のパターンをより低いランクに相当するＢ検査ランクエッジＥＢとした。
【０１１５】
この場合もフォトマスクの検査工程において、検査用データの抽出のしかたが異なるのと検査基準が異なるのとを除けば前記実施の形態と同様である。
【０１１６】
この方法によれば、前記実施の形態に比べて、欠陥の方向（パターン幅の増減）によらず安定して歩留まりを確保することができるという効果がある。
【０１１７】
なお、本実施の形態では、トランジスタアレイを構成する半導体集積回路のゲート配線用のフォトマスクについて説明したが、他の半導体集積回路にも適用可能であることはいうまでもない。
【０１１８】
（第８の実施の形態）
次に、本発明の第８の実施の形態について説明する。
本実施の形態では、コンタクトホール形成用のフォトマスクの検査方法および検査用データについて説明する。ここでは、前記第１の実施の形態に引き続き機能的特徴、特に、同一ノードのコンタクトホールが複数個存在している場合には検査規格をゆるくするように分類して精度ランクを分けた検査方法について説明する。
【０１１９】
ここでも図２に示したトランジスタアレイチップを形成するためのコンタクトホール形成用フォトマスクを例にとって説明する。
この例は、パターンが細くなる方向に欠陥が発生する場合すなわち等方性エッチングによりエッチング断面がテーパ状になるような場合において適用されるもので、パターン上で同一ノードのコンタクトホールが複数個存在している領域の検査規格を、他の領域の検査規格よりも低くしたものである。図２に示したトランジスタアレイチップにおいて、図１３（ａ）に示すようなコンタクトホールパターン１３ａ、１３ｂが配列されているとき、これらの形成状況に着目し、同一ノードのコンタクトホールが複数個存在している領域について、他の領域よりも特に精度をおとした検査ランクで検査するようにしたものである。
【０１２０】
ここでは図１３（ｂ）に示すように、領域で指定し、同一ノードのコンタクトホールが複数個存在している領域をより低い精度ランクのＢ検査ランク領域ＲＢとし、それ以外の領域をＡ検査ランク領域ＲＡとし、これを検査用データとして用いるようにしたものである。
検査工程については図１０に示したものと同様のフローチャートに従って検査を実行する。
【０１２１】
このようにして製造・検査が繰り返され検査ステップ１０４で欠陥なしと判断されたものは検査合格製品として出荷される（ステップ１０５）。
【０１２２】
かかる構成によれば、パターンの形状状況に着目し、同一ノードのコンタクトホールが複数個存在している領域をより低い精度ランクで検査を行うようにしているため、本来なら検査不合格とされていたものを合格とすることにより、歩留まりの向上をはかるとともに、高速で信頼性の高いフォトマスクを形成することができる。
【０１２３】
また前記第８の実施の形態の変形例として、図１３（ｃ）に示すように、パターンで指定しコンタクトパターン１3ａ、ｂのうち同一ノードのコンタクトホールが複数個存在しているパターン１３ｂのみを低い精度の検査ランクに相当するＢ検査ランクパターンＰＢとし、それ以外のパターンをより高いランクに相当するＡ検査ランクパターンＰＡとした。
【０１２４】
この場合もフォトマスクの検査工程において、検査用データの抽出のしかたが異なるのと検査基準が異なるのとを除けば前記実施の形態と同様である。
【０１２５】
この方法によれば、描画用データ（マスクパターンデータ）に検査ランクを示すデータを形成することができるという効果がある。
【０１２６】
また、第８の実施の形態の変形例として、図１３（ｄ）に示すように、エッジで指定しコンタクトホールエッジのうち同一ノードのコンタクトホールが複数個存在する場合のパターンエッジはより低い精度の検査ランクに相当するＢ検査ランクエッジＥＢとし、それ以外のパターンをより高いランクに相当するＡ検査ランクエッジＥＡとした。
【０１２７】
この場合もフォトマスクの検査工程において、検査用データの抽出のしかたが異なるのと検査基準が異なるのとを除けば前記実施の形態と同様である。
【０１２８】
この方法によれば、前記第1の実施の形態に比べて、エッジ毎に判断のランクを設定することができるという効果がある。
【０１２９】
なお、本実施の形態では、トランジスタアレイを構成する半導体集積回路のゲート配線用のフォトマスクについて説明したが、他の半導体集積回路にも適用可能であることはいうまでもない。
【０１３０】
また、前記実施の形態では同一ノードのコンタクトホールが近接領域に複数個存在している場合について説明したが、離間した位置に同一ノードのコンタクトホールが存在する場合についても、いずれかのコンタクトホールでコンタクトが可能になればよいという観点でみると、同様の検査方法を用いるようにすればよい。
【０１３１】
また、前記実施の形態ではプロセスにおいてパターンが細くなる方向、すなわちコンタクトホールが小さくなる場合の検査について説明したが、オーバーエッチングが生じてパターンが太くなる方向すなわち開口領域が大きくなる方向でのエッチングについても同様である。
【０１３２】
（第９の実施の形態）
次に、本発明の第９の実施の形態について説明する。
前記第８の実施の形態では、コンタクトホール形成用のフォトマスクの検査方法および検査用データについて説明したが、この例ではゲート配線などの配線パターン形成用のフォトマスクにおいて、前記第８の実施の形態に引き続き機能的特徴、特に、同一ノードのパターンである場合には、パターンが太くなる方向に欠陥が発生している場合の検査規格をゆるくするように分類して精度ランクを分けた検査方法について説明する。
【０１３３】
ここでも図２に示したトランジスタアレイチップを形成するためのコンタクトホール形成用フォトマスクを例にとって説明する。
この例は、パターンが太くなる方向に欠陥が発生する場合において適用されるもので、領域内に異なるノードのパターンを含む領域の検査規格を、他の領域の検査規格よりも高くしたものである。図２に示したトランジスタアレイチップにおいて、図１４（ａ）に示すようなライン１４ａ、１４ｂが配列されているとき、これらの機能的状況に着目し、異なるノードのパターンを含む領域について、他の領域よりも特に精度を高めた検査ランクで検査するようにしたものである。
【０１３４】
ここでは図１４（ｂ）に示すように、領域で指定し、異なるノードのパターンが複数個存在している領域をＡ検査ランク領域ＲＡとし、同一ノードの領域をＢ検査ランク領域ＲＢとしている。そして、Ａ検査ランク領域ＲＡよりＢ検査ランク領域の精度の検査ランクがゆるくなるように精度をゆるめ、これを検査用データとして用いるようにしたものである。
検査工程については図１０に示したものと同様のフローチャートに従って検査を実行する。
【０１３５】
このようにして製造・検査が繰り返され検査ステップ１０４で欠陥なしと判断されたものは検査合格製品として出荷される（ステップ１０５）。
【０１３６】
かかる構成によれば、パターンの形状状況に着目し、異なるノードのパターンが存在している領域のみをより高い精度ランクとし、同一ノードのパターンでは複数個存在している領域もより低い精度ランクで検査を行うようにしているため、本来なら検査不合格とされていたものを合格とすることにより、歩留まりの向上をはかるとともに、高速で信頼性の高いフォトマスクを形成することができる。
【０１３７】
また前記第９の実施の形態の変形例として、図１４（ｃ）に示すように、パターンで指定しパターン１４ａ、ｂのうち異なるノードのパターンが複数個存在しているパターン１４ｂのみを高い精度の検査ランクに相当するＡ検査ランクパターンＰＡとし、それ以外のパターンをより低いランクに相当するＢ検査ランクパターンＰＢとした。
【０１３８】
この場合もフォトマスクの検査工程において、検査用データの抽出のしかたが異なるのと検査基準が異なるのとを除けば前記実施の形態と同様である。
【０１３９】
この方法によれば、描画用データ（マスクパターンデータ）に検査ランクを示すデータを形成することができるという効果がある。
【０１４０】
また、第９の実施の形態の変形例として、図１４（ｄ）に示すように、エッジで指定しパターンエッジのうち同一ノードのパターンエッジに隣接するパターンエッジの場合はより低い精度の検査ランクに相当するＢ検査ランクエッジＥＢとし、それ以外のパターンをより高いランクに相当するＡ検査ランクエッジＥＡとした。
【０１４１】
この場合もフォトマスクの検査工程において、検査用データの抽出のしかたが異なるのと検査基準が異なるのとを除けば前記実施の形態と同様である。
【０１４２】
この方法によれば、前記第1の実施の形態に比べて、エッジ毎に判断のランクを設定することができるという効果がある。
【０１４３】
なお、前記実施の形態では、トランジスタアレイを構成する半導体集積回路のゲート配線用のフォトマスクについて説明したが、他の半導体集積回路にも適用可能であることはいうまでもない。
更にまた前記実施の形態では、同一ノードであるか否かを判断するのに同一レイヤー内でパターンが接続されているか否かによって判断したが、当該レイヤーの上層あるいは下層でコンタクトホールを介して接続されることにより同一ノードを構成するような場合にも同一ノードであるとして分類するようにしてもよい。
【０１４４】
（第１０の実施の形態）
次に、本発明の第１０の実施の形態について説明する。
前記実施の形態では、半導体集積回路のレイアウトパターンに基づいて検査用データを形成したが、ネットリストから回路機能に着目した情報を抽出し検査ランクを分類するようにしてもよい。そのフローチャートを図１５に示す。
【０１４５】
すなわち、ネットリストからクリティカルネットを抽出する（ステップ１５０１）。
ここでクリティカルネットとしては、クロックネット、タイミング制約設定ネット、アナログネット、高速信号ネットなどがある。
このクリティカルネットからレイアウトパターンを抽出する（ステップ１５０２）。
レイアウトパターンからフォトマスク用パターンデータを抽出する（ステップ１５０３）。
この後、各機能に応じて検査ランクを分類する（ステップ１５０４）。
このように、ネットリストから、着目する分類基準に基づいて情報を抽出することにより、より高速で検査用データを抽出することが可能となる。
【０１４６】
（第１１の実施の形態）
次に、本発明の第１１の実施の形態について説明する。
前記実施の形態では、検査用データを形成し、これを用いた検査方法について説明したが、本実施の形態では、検査精度の閾値の決定方法について説明する。
本実施の形態は、半導体集積回路用のフォトマスクの製造欠陥発生確率で重み付けされたパターン面積の和と製造欠陥サイズとの関係式と、製造欠陥密度と製造欠陥サイズとの関係式との交点によって決まる臨界点にもとづいて検査精度の閾値を決定するようにしたことを特徴とするものである。
【０１４７】
この例では、図１６に示すように、フォトマスクの製造欠陥発生確率で重み付けされたパターン面積の和と製造欠陥サイズとの関係曲線Ａと、製造欠陥密度と製造欠陥サイズとの関係曲線Ｄｅ（ｘ）との交点Ｃを求め、Ｃよりも小さなパターンに対して、より高精度の検査を用いるようにしたものである。
なぜなら、歩留まりは、関係極線Ａと関係曲線Ｄｅ（ｘ）との積である面積ＲＤにより算出されるため、交点Ｃよりも小さな領域ではパターン寸法変動が直接的に歩留まりに影響するためである。
ここで縦軸は製造欠陥発生確率で重み付けされたパターン面積の和と製造欠陥密度、横軸は製造欠陥サイズである。
【０１４８】
上記関係曲線Ａに用いる製造欠陥発生確率の重み付けは、図１７（ａ）乃至（ｃ）に示す方法に基づいて閾値が決定される。
この方法では、ライン幅ｌ、間隔ＳのラインアンドスペースＬｎを想定し、このパターン上に欠陥Ｄ１〜Ｄ３が形成された場合について検討する。
ここで図１７（ａ）に示すように、欠陥Ｄ１のサイズｘが間隔Ｓよりも小さいときは短絡不良なしである。
また図１７（ｂ）に示すように、欠陥Ｄ１のサイズｘが間隔Ｓよりも大きく２ｌ＋Ｓよりも小さいときは場合によっては短絡不良である。
また図１７（ｃ）に示すように、欠陥Ｄ１のサイズｘが２ｌ＋Ｓよりも大きいときは短絡不良である。
さらにまた、オープン不良の場合はこれとラインとスペースとの間隔とが逆となる。
【０１４９】
（第１２の実施の形態）
次に、本発明の第１２の実施の形態について説明する。
本実施の形態では、半導体集積回路チップ内で、製造プロセスにおける面積率の最適化と、追加容量によるノイズ低減を目的として、形成される構造である。
この構造では、空き領域にまで延長された電源配線領域下に、基板（Ｐウエル）と同じ導電型の拡散領域を用いたＭＯＳ構造のバイパスコンデンサをバイパスコンデンサとして自動配置し、グランド配線下の基板コンタクトと電源配線下のバイパスコンデンサとを拡散でつないだ構造を形成するためのフォトマスクの検査方法について説明する。
【０１５０】
すなわち、図１８（ａ）乃至（ｃ）（図１８（ｂ）、（ｃ）はそれぞれ図１８（ａ）のＡ−Ａ断面図およびＢ−Ｂ断面図である）は本実施の形態における検査方法で得られるフォトマスクを用いて形成される半導体集積回路を示す図である。図１８（ａ）は、グランド配線下に基板コンタクト、電源配線下に基板と同じ導電型の拡散領域を用いたＭＯＳ構造のバイパスコンデンサをバイパスコンデンサとして自動配置し、グランド配線下の基板コンタクトと電源配線下のバイパスコンデンサとを拡散でつないだ平面図である。
【０１５１】
本実施の形態によれば、空き領域にまで延長せしめた電源配線下にバイパスコンデンサを自動配置することで、製造プロセスにおける面積率の最適化をはかることができるとともに、チップの面積を増大させること空き領域まで延長した領域では、グランド配線１８０５のパターンも、基板コンタクト形成拡散１８１６も、高精度である必要はない。またここではグランド配線１８０５下に構成される基板コンタクト形成拡散１８１６を伸長せしめ、電源配線１８０１下のバイパスコンデンサ形成拡散１８１５と接続することで、高抵抗な基板よりも低い抵抗で電源配線とバイパスコンデンサ、グランド配線１８０５とバイパスコンデンサを接続するようにしているが、この機能的な意味でも、またコンタクト１８０７が同一ノードで多数配設されていることからも高精度である必要はない。
従ってこの空き領域に形成した追加容量を形成するためのパターン領域は、同一ノードをもつダミーパターンでもあり、より低い精度でよいＢラング領域ＲＢであるとし、それ以外の領域を形成するためのパターン領域をより高精度の条件を必要とするＡランク領域ＲＡとする。これにより、高速かつ低コストで信頼性の高いフォトマスクを得ることができる。
【０１５２】
なお図１８（ａ）乃至（ｃ）に示した本発明実施の形態における図形パターンでグランド配線１８０５下に基板コンタクト、追加形成領域まで延長した電源配線１８０５下に基板と同一導電型の拡散領域を用いたＭＯＳ構造のバイパスコンデンサをバイパスコンデンサとして自動配置し、グランド配線下の基板コンタクトと電源配線下のバイパスコンデンサとを拡散でつないだ平面図である。バイパスコンデンサ形成のための拡散領域１８１７と基板コンタクト用拡散１８１６の極性は同じで一体的に形成されている。
【０１５３】
（第１３の実施の形態）
次に、本発明の第１３の実施の形態について説明する。
さらにまた、前記第9の実施の形態において図１４（ｃ）に示したように、ラインアンドスペースパターンにおいてランクＡのラインパターン１４ｂとランクＢのラインパターン１４ａとの分類について説明した。ここでは図１９に示すように、これらランクＡのラインパターン１４ｂとランクＢのラインパターン１４ａとの間にダミーパターン１４ｃを形成した場合の分類例について考える。
【０１５４】
本実施の形態では、パターンランクＰＡとパターンランクＰＢとに分類し、さらにダミーパターンを、より精度が低くても良いパターンランクＰＣとし、検査精度を低くしている。
このようにして、歩留まりの向上をはかることができ、より高速で信頼性の高いフォトマスクを形成することが可能となる。
【０１５５】
（第１４の実施の形態）
次に、本発明の第１４の実施の形態について説明する。
さらにまた、前記第９の実施の形態において図１４（ｃ）に示したように、ラインアンドスペースパターンにおいてランクＡのラインパターン１４ｂとランクＢのラインパターン１４ａとの分類について説明した。ここでは図２０に示すように、これらランクＡのラインパターン５０２ｂとランクＢのラインパターン５０２ａとの間にダミーパターン５０１ｃを形成した場合の分類例について考える。
【０１５６】
本実施の形態では、パターンランクＰＡとパターンランクＰＢとに分類し、さらにダミーパターンを、より精度の低くても良いパターンランクＰＣとし、更にダミーパターン間のラインパターンを最も精度の低いパターンランクＰＤとして検査精度を低くしている。
すなわち、ダミーパターンでもダミーパターンのエッジ同士が隣接している場合、パターン精度は不要である。一方ダミーパターンが隣接パターンと隣接する領域ではダミーパターンではありながら、パターン精度は必要となる。そこでランクＡのラインパターン５０２ｂと隣接した領域のダミーパターンはランクＣとし、ランクＢのラインパターン５０２ａと隣接した領域のダミーパターンはランクＤとし、ダミーパターンの分類を行った。
このようにして、より高速でかつ高歩留まりのフォトマスクを形成することが可能となる。
【０１５７】
このように、一旦同一ノードであるか否かで、精度ランクを分類し、さらにダミーであるか否かで分類するというように、２段階の分類を行うようにすれば、より高速な処理が可能となり歩留まりの向上をはかることができる。
【０１５８】
また、形状的特徴で分類し、さらにそれを機能的特徴で分類するなど、複数段の分類も有効である。
【０１５９】
（第１５の実施の形態）
次に、本発明の第１５の実施の形態について説明する。
以上の実施の形態では、ウェハ上に解像されるマスクパターンのみについて説明したが、ウェハ上に解像されないマスクパターンについても検査精度を変える必要があり、さらにはこのマスクパターン自体の機能および周辺パターンとの関係についても考慮する必要がある場合がある。
本実施の形態では、微小図形付加により実質的に粗密を均質化するマスク技術を用いたマスクの検査について説明する。
アシストバー（スキャッタリングパー）とよばれるもので、図２１に示すように、本体データである本体パターン６０１と、この本体パターン６０１の周縁に沿ってこの本体パターン６０１から所定の間隔ｄだけ離間し、ウェハ上で解像しない程度の幅を持つように設計された４本のアシストバー６０２ａ乃至６０２ｄを用いたものである。この構造では検査精度を下げることができる。そしてこの構造では、以下の３点を条件として、アシストバーについてパターン精度の判定を行う。
１．拡大方向の欠陥（パターン増大）によって、アシストバー６０２ａ乃至６０２ｄのそれぞれが本体パターン６０１と重ならないかどうか、
２．拡大方向の欠陥（パターン増大）によって、ウェハ上にアシストバーのパターンが解像しないかどうか
３．縮小方向の欠陥（パターン減少）によって、マスク上のアシストバーのパターンが消失しないかどうかを考慮し、以上の条件を満たすかどうかのみを検査条件とし、この条件を満たしている場合は合格と判定する。
【０１６０】
本実施の形態では、本体データパターンをパターンランクＰＡと、アシストバーをパターンランクＰＢとして２つに分類し、さらにこのアシストバーを、上記３つの特定の検査条件に従って決定された検査条件によって合否を判定している。
このようにして、より高速でかつ高歩留まりのフォトマスクを形成することが可能となる。
【０１６１】
（第１６の実施の形態）
次に、本発明の第１６の実施の形態について説明する。
ここでは、エンハンサーマスクのうちコンタクト用エンハンサーマスクと呼ばれる位相シフトパターンを備えたマスクの検査について説明する。この技術は超微細プロセスを実現すべくメイン開口部とその周辺に設けられたサブ開口部とによって高解像度のパターン形成を行うものである。このマスクのメイン開口部はマスク基材である透光性基板を掘り込みにより位相を１８０度反転させ、メイン開口部を囲むハーフトーンで形成された遮光膜の位相と同位相となるように（３６０度差）したものである。
本実施の形態では、図２２に示すように、メイン開口部を構成する本体パターン７０１と、この本体パターン７０１の周縁に沿ってこの本体パターン７０１から所定の間隔ｄ１だけ離間し、この開口部自体はウェハ上で解像しない程度の幅を持つように設計された４本のサブ開口部７０２ａ乃至７０２ｄを用いたものである。この構造では検査精度を下げることができる。そしてこの構造では、以下の２点を条件として、サブ開口部についてパターン精度の判定を行う。
１．拡大方向の欠陥（パターン増大）によって、サブ開口部のそれぞれが本体パターン７０２ａ乃至ｄと重ならないかどうか、
２．縮小方向の欠陥（パターン減少）によって、サブ開口部のパターンが消失しないかどうか
を考慮し、以上の条件を満たすかどうかのみを検査条件とし、この条件を満たしている場合は合格と判定する。
【０１６２】
本実施の形態では、本体開口部のパターンをパターンランクＰＡと、サブ開口部をパターンランクＰＢとして２つに分類し、さらにこのサブ開口部を、上記２つの特定の検査条件に従って決定された検査条件によって合否を判定している。
このようにして、より高速でかつ高歩留まりのフォトマスクを形成することが可能となる。
【０１６３】
（第１７の実施の形態）
次に、本発明の第１７の実施の形態について説明する。
前記実施の形態ではコンタクト用の開口部をメイン開口部とサブ開口部で構成スルエンハンサーマスクについて説明したが、ここでは、エンハンサーマスクのうちライン用エンハンサーマスクと呼ばれる位相シフトパターンを備えたマスクの検査について説明する。このマスクではラインパターンを構成する遮光部からなる本体パターン８０１の中に１８０度の位相シフトを配置して細いラインを形成するもので、本体パターン以外は０度の開口を構成するものである。
本実施の形態では、図２３に示すように、ハーフトーンパターンで構成された遮光部を構成する本体パターン８０１と、この本体パターン８０１の中に１８０度の位相シフタパターン８０２を形成したもので、この位相シフタパターン自体はウェハ上で解像しない程度の幅を持つように設計されている。この構造では位相シフタパターンについての検査精度を下げることができる。したがってこの構造では、以下の２点を条件として、位相シフタパターンについて検査精度をランクＢとし他はランクＡとしてパターン精度の判定を行う。
そして位相シフタパターンについては以下の条件を満たしているかについてのみ判定する。
１．拡大方向の欠陥（パターン増大）によって、位相シフタパターン８０２が本体パターン８０１と重ならないかどうか、
２．縮小方向の欠陥（パターン減少）によって、位相シフタのパターンが消失しないかどうか
を考慮し、以上の条件を満たすかどうかのみを検査条件とし、この条件を満たしている場合は合格と判定する。
【０１６４】
本実施の形態では、本体パターンをパターンランクＰＡと、位相シフタをパターンランクＰＢとして２つに分類し、さらにこの位相シフタを、上記２つの特定の検査条件に従って決定された検査条件によって合否を判定している。
このようにして、より高速でかつ高歩留まりのフォトマスクを形成することが可能となる。
【０１６５】
（第１８の実施の形態）
次に、本発明の第１８の実施の形態について説明する。
ここでは、位相シフトマスクのうちＣＰＬ（Ｃｈｒｏｍｌｅｓｓ  Ｐｈａｓｅ  Ｌｉｔｈｏｇｒａｐｙ）と呼ばれるクロムレス位相シフトマスクを用いた超解像技術に適用されるマスクの検査について説明する。この技術は超微細プロセスを実現すべく解像しようとする本体パターン９０１に代えて、それ自体では解像し得ない細いパターンからなる４本の位相シフタパターン９０２ａ〜９０２ｄとによって高解像度のパターン形成を行うものである。このマスクの位相シフタパターンはハーフトーンマスクで構成される。
本実施の形態では、図２４（ｂ）に示すように、合計で本体パターン９０１（図２４（ａ））同一幅を持つように形成された、4本の位相シフタパターン９０２ａ乃至９０２ｄを用いたものを用いる。この構造では位相シフタパターンについては本体パターンに比べて検査精度を下げることができる。そしてこの構造では、以下の３点を条件として、位相シフタパターンについてパターン精度の判定を行う。
１．拡大方向の欠陥（パターン増大）によって、位相シフタ同士が重ならないかどうか、
２．縮小方向の欠陥（パターン減少）によって、位相シフタパターンが消失しないかどうか
３．本体パターンのエッジに相当する部分の検査感度は下げない
を考慮し、以上の条件を満たすかどうかのみを検査条件とし、この条件を満たしている場合は合格と判定する。
【０１６６】
本実施の形態では、本体パターンをパターンランクＰＡと、位相シフタパターンをパターンランクＰＢとして２つに分類し、さらにこの位相シフタパターンを、上記３つの特定の検査条件に従って決定された検査条件によって合否を判定している。
【０１６７】
さらにまた、異なる位相のシフタで挟み、細いゲートを形成するいわゆるゲートシュリンク技術を用いた位相シフトマスクにおいては、向かいあうシフタエッジのみ、マスク感度を上げる必要があるが、他は検査精度を下げてもよい。
【０１６８】
このようにして、特徴基準に応じて適切なより高速でかつ高歩留まりのフォトマスクを形成することが可能となる。
このように、一旦同一ノードであるか否かで、精度ランクを分類し、さらにダミーであるか否かで分類するというように、２段階の分類を行うようにすれば、より高速な処理が可能となり歩留まりの向上をはかることができる。
【図面の簡単な説明】
【０１６９】
【図１】本発明の第１の実施の形態のフォトマスクの検査方法を示す検査フロー図である。
【図２】本発明の第１の実施の形態で検査される半導体集積回路を示す図である。
【図３】同半導体集積回路のトランジスタ部を示す説明図である。
【図４】同検査方法を示す説明図である。
【図５】本発明の第１の実施の形態の検査フローにおける検査工程を示すフロー図である。
【図６】本発明の第２の実施の形態の検査方法を示す図である。
【図７】本発明の第３の実施の形態の検査方法を示す図である。
【図８】本発明の第４の実施の形態の検査方法を示す図である。
【図９】本発明の第５の実施の形態の検査方法を示す図である。
【図１０】本発明の第５の実施の形態の検査方法を示すフロー図である。
【図１１】本発明の第６の実施の形態の検査方法を示す図である。
【図１２】本発明の第７の実施の形態の検査方法を示す図である。
【図１３】本発明の第８の実施の形態の検査方法を示す図である。
【図１４】本発明の第９の実施の形態の検査方法を示す図である。
【図１５】本発明の第１０の実施の形態の検査方法を示す図である。
【図１６】本発明の第１１の実施の形態の検査方法を示す図である。
【図１７】本発明の第１１の実施の形態の検査方法を示す図である。
【図１８】本発明の第１２の実施の形態の検査方法を示す図である。
【図１９】本発明の第１３の実施の形態の検査方法を示す図である。
【図２０】本発明の第１４の実施の形態の検査方法を示す図である。
【図２１】本発明の第１５の実施の形態の検査方法を示す図である。
【図２２】本発明の第１６の実施の形態の検査方法を示す図である。
【図２３】本発明の第１７の実施の形態の検査方法を示す図である。
【図２４】本発明の第１８の実施の形態の検査方法を示す図である。
【図２５】従来例の検査方法を示す図である。
【図２６】従来例の検査方法を示す図である。
【符号の説明】
【０１７０】
１  レイアウトパターン
２  トランジスタ領域
３  ゲート配線
３Ｔ  活性領域上のゲート配線
３Ｃ  活性領域上のゲート配線以外の領域
４  活性領域
１０２  フォトマスク描画データ
１０３  描画・プロセス工程
１０４  フォトマスク検査工程
１０５  検査合格製品出荷
１０６  デザインルールから精度を指示
２０１  検査精度限界の欠陥
２０２  検査精度より大きい欠陥
２０３  最小の配線間隔
２０４  配線間隔（最小間隔より広い）
２１０〜２１３  最小間隔で配置されたパターン
２１４〜２１６  広い幅で配置されたパターン
３０６  検査用精度データ
【図１】
2004191957.tif 000003
【図２】
2004191957.tif 000004
【図３】
2004191957.tif 000005
【図４】
2004191957.tif 000006
【図５】
2004191957.tif 000007
【図６】
2004191957.tif 000008
【図７】
2004191957.tif 000009
【図８】
2004191957.tif 000010
【図９】
2004191957.tif 000011
【図１０】
2004191957.tif 000012
【図１１】
2004191957.tif 000013
【図１２】
2004191957.tif 000014
【図１３】
2004191957.tif 000015
【図１４】
2004191957.tif 000016
【図１５】
2004191957.tif 000017
【図１６】
2004191957.tif 000018
【図１７】
2004191957.tif 000019
【図１８】
2004191957.tif 000020
【図１９】
2004191957.tif 000021
【図２０】
2004191957.tif 000022
【図２１】
2004191957.tif 000023
【図２２】
2004191957.tif 000024
【図２３】
2004191957.tif 000025
【図２４】
2004191957.tif 000026
【図２５】
2004191957.tif 000027
【図２６】
2004191957.tif 000028